(57)【要約】【課題】  簡単な製造工程で安価に斬新なドア表面形状を実現できる開口部装置を提供する。【解決手段】  本発明の開口部装置は、建物の開口に設けられる枠体と、この枠体内に開閉自在に設けられるドア本体１とを備え、ドア本体１は、断熱材２と、断熱材２の外側面に貼り付けられる外側表面材３と、断熱材２の内側面に貼り付けられる内側表面材４とを有し、断熱材２の前記外側面が曲面部３ａを有し、この曲面部３ａに沿う形状で外側表面材３が貼り付けられている。【選択図】      図２
2006226003.tif 000002
【特許請求の範囲】
【請求項１】
建物の開口に設けられる枠体と、この枠体内に開閉自在に設けられるドア本体とを備え、前記ドア本体は、断熱材と、前記断熱材の外側面に貼り付けられる外側表面材と、前記断熱材の内側面に貼り付けられる内側表面材とを有し、前記断熱材の前記外側面が曲面を成し、この曲面に沿う形状で前記外側表面材が貼り付けられていることを特徴とする開口部装置。
【請求項２】
前記断熱材の外側面は、その左右両側から中央に向かって滑らかな円弧状に突出する曲面形状を成していることを特徴とする請求項１に記載の開口部装置。
【請求項３】
前記ドア本体は、前記断熱材の周囲を少なくとも部分的に囲む芯材を有し、この芯材には、前記断熱材の外側面に向かって傾斜する斜面を有するキャップが取り付けられていることを特徴とする請求項１または請求項２に記載の開口部装置。
【発明の詳細な説明】
【技術分野】
【０００１】
本発明は、建物の開口に取り付けられる玄関ドア等の開口部装置に関する。
【背景技術】
【０００２】
一般に、ドアは、建物の開口に設けられる枠体と、この枠体内にヒンジを介して開閉自在に設けられるドア本体とを備えている。また、前記ドア本体は、例えば、アルミニウム合金の押出形材から成る矩形枠状に組み付けられた芯材（框体）と、この芯材内に配置される断熱材とを有し、室外に面する断熱材の外側面と室内に面する断熱材の内側面とにそれぞれ表面材が貼り付けられて構成されている（例えば、特許文献１または特許文献２参照）。
【０００３】
【特許文献１】特開２００４−２７６３９号公報
【特許文献２】特開２００３−４９５８１号公報
【発明の開示】
【発明が解決しようとする課題】
【０００４】
ところで、最近のドアには、様々なデザインが施されているが、一般に、室外に面する前記ドア本体の外側面や室内に面する内側面は単なる平面を成しており、更に斬新なデザインが求められている。
【０００５】
しかしながら、斬新なデザインを施す場合には、一般に、製造工程が複雑になって、コストが増大する虞がある。
【０００６】
本発明は、前記事情に鑑みて為されたもので、簡単な製造工程で安価に斬新なドア表面形状を実現できる開口部装置を提供することを目的とする。
【課題を解決するための手段】
【０００７】
前記目的を達成するために、請求項１に記載の開口部装置は、建物の開口に設けられる枠体と、この枠体内に開閉自在に設けられるドア本体とを備え、前記ドア本体は、断熱材と、前記断熱材の外側面に貼り付けられる外側表面材と、前記断熱材の内側面に貼り付けられる内側表面材とを有し、前記断熱材の前記外側面が曲面を成し、この曲面に沿う形状で前記外側表面材が貼り付けられていることを特徴とする。
【０００８】
この請求項１に記載された開口部装置においては、前記断熱材の前記外側面が曲面を成し、この曲面に沿う形状で前記外側表面材が貼り付けられているため、すなわち、ドア本体の外観形状が曲面を成しているため、意匠上極めて斬新であり、購買意欲を喚起することができる。また、断熱材の外面を曲面に形成するだけで良いため、加工が容易であり、また、更にこの曲面に沿って外側表面材を貼り付けるだけで済むため、製造も簡単である。したがって、安価に製造することが可能である。
【０００９】
また、請求項２に記載された開口部装置は、請求項１に記載された開口部装置において、前記断熱材の外側面は、その左右両側から中央に向かって滑らかな円弧状に突出する曲面形状を成していることを特徴とする。
【００１０】
この請求項２に記載された開口部装置においては、単純な形状で斬新性を得ることができる。
【００１１】
また、請求項３に記載された開口部装置は、請求項１または請求項２に記載された開口部装置において、前記ドア本体は、前記断熱材の周囲を少なくとも部分的に囲む芯材を有し、この芯材には、前記断熱材の外側面に向かって傾斜する斜面を有するキャップが取り付けられていることを特徴とする。
【００１２】
この請求項３に記載された開口部装置においては、ドア本体に付着する水分を前記斜面に沿って流すことができるため、前記斜面を室外に向かって下向きに延びるように配置することで、雨水などの水滴を室内に浸入させないで済む。この場合、特に、キャップとシール材とを併用すれば、防水効果を高めることができる。なお、雨水を前記斜面に沿って流し落とすという目的においては、少なくともドア本体の上縁に対応する芯材の部位にキャップが設けられていれば良い。
【発明の効果】
【００１３】
本発明の開口部装置によれば、前記断熱材の前記外側面が曲面を成し、この曲面に沿う形状で前記外側表面材が貼り付けられているため、簡単な製造工程で安価に斬新なドア表面形状を実現できる。
【発明を実施するための最良の形態】
【００１４】
以下、図面を参照しながら、本発明の実施形態について説明する。
図１に示すように、本発明の実施形態に係る開口部装置５０は、建物の開口に設けられる枠体（図示せず）と、枠体内にヒンジ部材３０を介して開閉自在に設けられるドア本体１とを備えている。なお、室外に面するドア本体１の外側面には施錠装置１５が設けられている
【００１５】
図２および図３に明確に示すように、ドア本体１は、合成樹脂の押出形材から成る矩形枠状に組み付けられた芯材（框体）５ａ，５ｂ，５ｃ，５ｄと、これらの矩形枠状の芯材５ａ，５ｂ，５ｃ，５ｄ内に配置される断熱材２と、室外に面する断熱材２の外側面に貼り付けられる外側表面材３と、室内に面する断熱材２の内側面に貼り付けられる内側表面材４とから主に構成されている。この場合、断熱材は、ＥＰＳ（発泡スチロール）や防火用発泡ボード等の材料によって形成されている。また、外側表面材３および内側表面材４は、例えば溶融亜鉛メッキ鋼板等の鋼板から成り、例えば０．４〜０．６ｍｍ程度の厚さを有している。
【００１６】
図１および図２から分かるように、室外に面する断熱材２の外側面は曲面部３ａを有しており、また、この曲面部３ａに沿って平らな外側表面材３が曲げられ、外側表面材３が断熱材２の曲面部３ａに沿う形状で貼り付けられている。この場合、曲面部３ａは、ドア本体１の左右両側から中央に向かって滑らかな円弧状に突出する曲面形状を成している。このような曲面部３ａを有する形状の断熱材２は、熱線加工やＮＣ加工等の機械的加工によって簡単に製造することができる。
【００１７】
また、図１および図３から分かるように、上下の芯材５ｃ，５ｄには、剥き出しになったその露出面を隠すようにキャップ１０が取り付けられている。このキャップ１０は、芯材５ｃ，５ｄの長手方向に沿って延びるとともに、断熱材２（ドア本体１）の外側面に向かって傾斜する斜面１０ａを有している。特に、本実施形態において、上側芯材５ｃに取り付けられたキャップ１０の斜面１０ａは、室外に向かって下向きに延びるように配置されている。なお、キャップ１０は、合成樹脂またはアルミニウム合金等から形成されており、ネジ等の固定部材１３を介して芯材５ｃ，５ｄに取り付け固定されている。
【００１８】
次に、ドア本体１の製造方法について簡単に説明する。
まず初めに、矩形状に組み付けられた芯材５ａ，５ｂ，５ｃ，５ｄを、接着剤が塗布された内側表面材４の接着面上に置く。次に、断熱材２を芯材の矩形枠内で内側表面材４の接着面上に載置する。この時、曲面部３を有する断熱材２の外側面と反対側の面すなわち内側面を内側表面材４に接触させる。そして、最後に、曲面部３ａを有する断熱材２の外側面上に接着剤が塗布された外側表面材３を載置してプレス加工を施す。そうすると、断熱材２の曲面部３ａに沿って平らな外側表面材３が曲げられ、外側表面材３が断熱材２の曲面部３ａに沿う形状で貼り付けられる。なお、この場合、プレス面の形状は、断熱材２の外側面の形状に適合する形状を成している。
【００１９】
以上説明したように、本実施形態の開口部装置５０においては、断熱材２の外側面が曲面を成し、この曲面に沿う形状で外側表面材３が貼り付けられているため、すなわち、ドア本体１の外観形状が曲面を成しているため、意匠上極めて斬新であり、購買意欲を喚起することができる。また、断熱材２の外面を曲面に形成するだけで良いため、加工が容易であり、また、更にこの曲面に沿って外側表面材３を貼り付けるだけで済むため、製造も簡単である。したがって、安価に製造することが可能である。なお、曲面部３は波形状を成していても良い。また、曲面部３ａが断熱材２の外側面および内側面の両方に設けられていても良い。
【００２０】
また、本実施形態において、断熱材２の外側面は、その左右両側から中央に向かって滑らかな円弧状に突出する曲面形状を成している。そのため、単純な形状で斬新性を得ることができる。
【００２１】
また、本実施形態の開口部装置５０においては、室外に向かって下向きに延びる斜面１０ａを有するキャップ１０が芯材５ｃに取り付けられているため、ドア本体１に付着する水分を斜面１０ａに沿って流すことができ、雨水などの水滴を室内に浸入させないで済む。この場合、特に、キャップ１０とシール材（図示せず）とを併用すれば、防水効果をさらに高めることができる。
【００２２】
なお、上述の実施の形態では、芯材を矩形枠状に設けたが、これに代えて、例えば、断熱材の周囲に門形状に芯材を設けるようにてもよいし、あるいは断熱材の左右にそれぞれ上下方向に延びるように芯材を設けるようにしてもよい。
【産業上の利用可能性】
【００２３】
本発明は、建物の開口に開閉可能に取り付けられる玄関ドア等の様々な開口部装置に適用することができる。
【図面の簡単な説明】
【００２４】
【図１】本発明の実施形態に係る開口部装置の斜視図である。
【図２】図１のＡ−Ａ線に沿う断面図である。
【図３】図１のＢ−Ｂ線に沿う断面図である。
【符号の説明】
【００２５】
１    ドア本体
２    断熱材
３    外側表面材
３ａ    曲面部
４    内側表面材
５ａ，５ｂ，５ｃ，５ｄ    芯材
１０    キャップ
１０ａ    斜面
５０    開口部装置
【図１】
2006226003.tif 000003
【図２】
2006226003.tif 000004
【図３】
2006226003.tif 000005